(57)【要約】【課題】開閉部材をフック本体の外側へ開くことができるようにしたタイプのフックで、構造が簡単で、開閉部材の開き止め機構を改良する。【解決手段】フック１の開放部位４の一側端部に設けた軸孔５へ開閉部材３を回動可能に取り付け、フック本体２と一緒に無端の環状体を形成し得る。軸孔５は開閉部材３の回動開閉を許し、また開閉部材３がスライドできるように長孔状とする。開閉部材３にピン１０とスプリング１１を配し、フック本体２からの解除を妨げるよう付勢する。開閉部材３が開いている状態から閉じるには、開閉部材３をスライドさせ、自由端の先端部３ａを凹溝８の外側の部分８ｂよりも軸孔５側へ移動させ、この部分８ｂを乗り越え得るようにする。そして開閉部材３を回動させ、先端部３ａが凹溝８の内側部分の壁８ａに突き当たれば無端環状のフックができる。開閉部材３を開くには逆の手順となる。【選択図】図２
2008232154.tif 000002
【特許請求の範囲】
【請求項１】
略環状で一部を開放部位としたフック本体と、
該開放部位の一側の端部に設けた軸孔へ基端の軸を回動可能に取り付けて前記フック本体とともに無端環状体を形成し得るとともに、前記開放部位の外側へ開き出し得る開閉部材とからなり、
前記開閉部材を開いて前記無端環状体状態での内側に被係止体を受け入れ得るフックにおいて、
前記軸孔を、前記開閉部材の回動開閉を許しかつ前記無端環状体の状態において前記開閉部材をその軸線方向に沿う移動を許す長孔状のものとし、
前記開放部位の他側の端部を断面凹状に形成し、
前記開閉部材の前記基端と反対側の自由端の先端部を前記凹状部分に嵌着可能な断面凸状に形成して凹凸嵌合可能とし、
前記開閉部材を前記長孔状の軸孔に沿って移動させ、前記凹凸嵌合とその解除を可能としてなることを特徴とするフック。
【請求項２】
請求項１のフックにおいて、前記開閉部材内に付勢部材を配し、該付勢部材を前記軸孔内に突出させてフック本体の外面の適宜部位に当接させ、前記凹凸嵌合の解除を妨げる方向へ前記開閉部材を押圧付勢することを特徴とするフック。
【請求項３】
請求項２のフックにおいて、前記付勢部材が、前記開閉部材内部に配したピンと該ピンを突出付勢するスプリングからなることを特徴とするフック。
【請求項４】
請求項１ないし３のいずれかのフックにおいて、前記開閉部材内の前記基端に、前記凹凸嵌合状態で前記フック本体の内側へ突出する突部を設けてなることを特徴とするフック。
【請求項５】
請求項４のフックにおいて、前記突部が前記凹凸嵌合状態で前記フック本体の内側を二分することを特徴とするフック。
【発明の詳細な説明】
【技術分野】
【０００１】
本発明は、カラビナやナスカン状のフックに関し、詳細にはフック本体の開放部位を開閉する開閉部材を外開きにしたタイプのものに関する。
【背景技術】
【０００２】
カラビナやナスカン状のフックは、登山や物品運搬時の吊り下げ等だけでなく、例えば装飾具のチェーンの環などに組み付けて使用されてきた。このようなフックの基本的な構造としては、略環状で一部を開放部位としたフック本体と、この開放部位の一側の端部に設けた軸孔へ基端の軸を回動可能に取り付けてフック本体とともに無端環状体を形成し得るとともに、開放部位の内側へ回動し得る開閉部材とからなるものが一般的であった。
【０００３】
しかしながら近年、この種のフックの使用形態の多様化から、開閉部材をフック本体の外側へ開くことができるようにしたタイプも用いられるようになってきた。このようなタイプのフックの場合、開閉部材が使用者の意図に反して開いてしまうと、フック本体の内側に入れてある被係止体、例えばチェーン先端の環が簡単に抜け出てしまう怖れがあり、多くの場合この種のフックでは開閉部材の開き止め機構が設けてある。
【０００４】
この種の開き止め機構としては、例えば特許文献１に示されるように、内面にねじを切った筒状の部材を用い、開閉部材の自由端をフック本体の係止部位へ係止した状態のままその上から覆ってしまえるようにフック本体にもねじを切った構造のものがある。
【０００５】
【特許文献１】特開２０００−２２２７号公報
【発明の開示】
【発明が解決しようとする課題】
【０００６】
しかしながら上述のような開閉部材の開き止め構造は、フックへの被係止体の取り付け、取り外し時に筒状の部材を何度も回転させて開閉部材を開けるようにしたり、開けないようにしたりする操作が当然に伴い、非常に操作が面倒であるだけでなく、筒状の部材が付属することで構造が複雑になり、また重量が大幅に増えたり、コストが増加したりするという問題があった。
【０００７】
本発明は、上述した従来の諸問題点にかんがみてなしたもので、構造が簡単で、開閉部材の開き止め機構のために大幅な重量増もなく、コスト増も抑えることができるフックを提供することを目的とする。
【課題を解決するための手段】
【０００８】
本発明の請求項１に係るフックは、略環状で一部を開放部位としたフック本体と、該開放部位の一側の端部に設けた軸孔へ基端の軸を回動可能に取り付けて前記フック本体とともに無端環状体を形成し得るとともに、前記開放部位の外側へ開き出し得る開閉部材とからなり、前記開閉部材を開いて前記無端環状体状態での内側に被係止体を受け入れ得るフックにおいて、前記軸孔を、前記開閉部材の回動開閉を許しかつ前記無端環状体の状態において前記開閉部材をその軸線方向に沿う移動を許す長孔状のものとし、前記開放部位の他側の端部を断面凹状に形成し、前記開閉部材の前記基端と反対側の自由端の先端部を前記凹状部分に嵌着可能な断面凸状に形成して凹凸嵌合可能とし、前記開閉部材を前記長孔状の軸孔に沿って移動させ、前記凹凸嵌合とその解除を可能としてなることを特徴とする。
【０００９】
フック本体の基本的な形状、構造、材料、開放部位を設ける位置、長さ等は公知の種々の形態、構造のものであればよい。また開閉部材についても、その基本的な形状、構造、材料は公知のものでよいが、もちろん長さはフック本体の開放部位の長さと対応するものになる。さらに被係止体も、既述のような、登山用具や物品運搬時の吊り下げ具、装飾具のチェーンの環等だけでなく、フック本体が環状であることを利用して使用者が係止しようと選択するものであれば、どのようなものでもよい。
【００１０】
また軸孔の長孔状の形状は、後述する実施例において記載する小判型のようなものに限定されず、フック本体の開放部位を閉じた状態から開閉部材をスライドさせて移動させ得る形状であれば、どのようなものであっても良い。
【００１１】
さらにフック本体と開閉部材の凹凸嵌合のための形状は、文字通り矩形の断面のものには限定されず、三角形や台形等の断面形状で有ってよく、また凹部側では外部へ通じているのは頂点あるいは頂面の部分だけの穴状の構造でよく、その場合、凸部側はそれに対応する形状（錐状、截頭錐状等）とすればよい。
【００１２】
本発明の請求項２に係るフックは、請求項１のフックにおいて、前記開閉部材内に付勢部材を配し、該付勢部材を前記軸孔内に突出させてフック本体の外面の適宜部位に当接させ、前記凹凸嵌合の解除を妨げる方向へ前記開閉部材を押圧付勢することを特徴とする。
【００１３】
また本発明の請求項３に係るフックは、請求項２のフックにおいて、前記付勢部材が、前記開閉部材内部に配したピンと該ピンを突出付勢するスプリングからなることを特徴とする。
【００１４】
すなわち、一般的には棒状に形成されるであろう開閉部材の開き止め機能を、前述の凹凸嵌合とともに、その状態を保つ開閉部材の付勢によって果たすものである。
【００１５】
そして本発明の請求項４に係るフックは、請求項１ないし３のいずれかのフックにおいて、前記開閉部材内の前記基端に、前記凹凸嵌合状態で前記フック本体の内側へ突出する突部を設けてなることを特徴とする。
【００１６】
また本発明の請求項５に係るフックは、請求項４のフックにおいて、前記突部が前記凹凸嵌合状態で前記フック本体の内側を二分することを特徴とする。
【００１７】
このような開閉部材の突部によってフック本体の内側を二分あるいはほぼ二分すると、それぞれに別途の被係止体を通し、それらを区分して保持し得るようになる。例えば、大径の一側をベルトに引っ掛け、小径の他側にカギやカギ束や等を通す、といった使用形態が簡単に構成できる。
【発明の効果】
【００１８】
本発明によれば、開閉部材をフック本体の外側へ開くことができるようにしたタイプのフックにおいて、構造が簡単で、開閉部材の開き止め機構のために大幅な重量増もなく、コスト増も抑えることができる。また開閉部材をスライドさせないと開き出せないので、開閉部材が使用中に不用意に開くようなことがなく、高い信頼性が得られえる。さらには、フック本体と開閉部材で形成した無端環状体中に、連結しようとするチェーン環やローブ、カギやカギ束等の出し入れが比較的簡単にできるようになり、作業性も向上する。
【発明を実施するための最良の形態】
【００１９】
以下、本発明の実施形態に関して、添付図面を参照して説明する。なお以下の実施例ではカラビナ状のフックのみ図示し、説明するが、本発明はこれに限定されず、フック本体の基本的な形状、構造、材料、開放部位を設ける位置、長さ等は公知の種々の形態、構造のものであればよい。また開閉部材についても、その基本的な形状、構造、材料は公知のものでよいが、もちろん長さはフック本体の開放部位の長さと対応するものになる。さらに被係止体も、既述のような、登山用具や物品運搬時の吊り下げ具、装飾具のチェーンの環等だけでなく、フック本体が環状であることを利用して使用者が係止しようと選択するものであれば、どのようなものでもよい。
【実施例１】
【００２０】
図１は本発明に係るフックの一実施例の分解斜視図、図２は使用動作状態の側面図である。図示のフック１において、２はフック本体、３は開閉部材であり、フック１は主としてこの２部品から構成されている。
【００２１】
本実施例のフック１は、フック本体２が略環状でナスあるいはひょうたん形の平面形上を有し、一部を開放部位４とし、この開放部位４の一側の端部でフック本体２に設けた軸孔５へ基端の軸孔６とピン７を利用して回動可能に取り付け、フック本体２と一緒になって無端の環状体を形成し得るようになっている。開閉部材３の軸孔６は、ピン７を固着状にはめ込むものであっても、適度にゆるく通すものであってもいずれでもよいが、ピン７の軸の位置が大きくずれないものであることが望ましい。なお既述のように、フック本体２の側面形状は、図示のようなナスあるいはひょうたん形に限らず、ナスカンで主として用いられるＤ形など種々公知の形状が採用でき、図示の例の形状にはまったく限定されない。また開閉部材３は、フック本体２の開放部位の外側へ開き出し、無端環状体状態での内側に開放部位４を介してリングなどの被係止体を受け入れ得るようにするものであり、形状、構造等は図示の例に限定されず種々のものを採用できる。
【００２２】
フック本体２の軸孔５は、開閉部材３の回動開閉（図２Ａ参照）を許し、また開閉部材３を閉じて無端環状体とした状態において、開閉部材３がその軸線方向に沿ってスライド移動できるように長孔状のものとしてある。このスライド移動の距離は、後述する開閉部材３の自由端側での凹凸嵌合に関連して定める必要がある。なお、フック本体２と開閉部材３の凹凸嵌合のための形状は、文字通りの矩形の断面のものには限定されず、図示のような角に丸みを帯びた形状や、三角形や台形等の断面形状で有ってもよく、また凹部側では外部へ通じているのは頂点あるいは頂面の部分だけの穴状の構造でよい。そのような構造の場合、凸部側はそれに対応する形状（錐状、截頭錐状等）とする。
【００２３】
すなわち、開閉部材３は、開放部位４の他側の端部を断面凹状（図示の例では凹溝状）に形成して凹部８を構成し、開閉部材３の基端と反対側の自由端の先端部３ａは、この凹部８に嵌着可能な断面凸状に形成（図示の例では突起）して凹凸嵌合可能とし、開閉部材３を長孔状の軸孔５に沿って移動させ、凹部８と開閉部材３の先端部３ａとの凹凸嵌合とその解除を可能としてあるなお、軸孔５の長孔状の形状は、図示のような小判型のようなものに限定されず、フック本体２の開放部位４を閉じた状態から開閉部材３をスライドさせて移動させ得る形状であれば、どのようなものであっても良い。
【００２４】
なお、図示の例で凹溝状としたのは、開放部位４の内側部分の壁８ａが開閉部材３がそれ以上はフック本体２内へ入り込むのを防ぎ、外側の部分８ｂはもちろん開閉部材３が凹溝８から抜け出るのを防ぐためである。
【００２５】
さらに本実施例のフック１は、開閉部材３の基端側に溝部９を設け、この溝部９内にピン１０とスプリング１１とからなる付勢部材を配してある。すなわち上述してきたようなフック本体２への開閉部材３の取り付け上体において、ピン１０をスプリング１１によってフック本体２の軸孔５を設けた部位の外周面へ当接させ、この当接の反作用によって前述した凹凸嵌合の解除を妨げる方向へ開閉部材３を押圧付勢する。なおこの付勢手段については、厨子のような、溝、ピン、スプリングによるものではなく、例えば開閉部材の軸線方向に沿って穴を設け、その内部にスプリングなどのバネ体を仕込んだだけのものなどであっても良い。
【００２６】
また本実施例の開閉部材３は、フック本体２の軸孔５へ装着する部分である基端に、フック本体２の内側に向けて突出する突部３ｂが設けてある。この部位は、上述のような凹凸嵌合状態で無端環状体となった状態においてフック本体２の内側へ突出し、対応部位にあるフック本体２の部位２ａと対峙し、フック本体２の内側を二分あるいはほぼ二分するようになっている（図２Ｂ、Ｃ参照）。
【００２７】
すなわち、このようにフック本体２の内側を二分あるいはほぼ二分すると、それぞれに別途の被係止体を通し、それらを区分してフック本体２の内側で行き来しないように保持できるようになる。これは、例えば、フック本体２の環状内部のうち大径の方の側をベルトに引っ掛け、小径の方の側にはカギやカギ束、あるいはこれらを通したリングや等を通す、といった使用形態が簡単に構成でき、便利である。もちろん、車両などで使用する大型のフックであっても、同じような使い方ができ、これも便利である。すなわち、いわゆるナスカンのように使用できる。
【００２８】
また、いわゆる周知のナスカンと同じような構造とする場合には、フック本体２の図１の上側（下側であってもかまわないが）に固定の環状部分を設けることになるであろう。
【００２９】
最後に、本実施例における開閉部材３の着脱動作について図２を参照して説明する。
【００３０】
まず、図２Ａのように開閉部材３が外へ開いている状態とする。これを閉じるには、開閉部材３のピン７を軸孔５の反対側へスライドさせる。すなわち、図２Ａではピン７が軸孔５内で右に寄っているが、それを左に寄せるようにスプリング１１の付勢力にこうして移動させる。この作業は、図２Ｂの状態あるいはそれに近くなってから行うのが効率的であるが、そうでなくても良い。
【００３１】
このような状態では、開閉部材３の自由端の先端部３ａは凹溝８の外側の部分８ｂよりも軸孔５側へ移動しており、外側の部分８ｂを乗り越え得るようになる。そしてそのまま開閉部材３を回動させると、先端部３ａが凹溝８の内側部分の壁８ａに突き当たり、それ以上はフック本体２内へ入り込めなくなる。その状態で開閉部材３をスライドさせていた力を掛けるのを止めれば、開閉部材３はスプリング１１の付勢力により軸孔５から離れる方向へ自己の軸線方向に沿って移動し、先端部３ａが凹溝８としっかりと嵌合し、開閉部材３は外側への開き出しができなくなる。開閉部材３を外側へ開き出すには、上述の手順と逆の手順で行えばよい。開閉部材３の先端部３ａと凹溝８との嵌合が解除されれば、開閉部材３は自由に外側へ開きだせる。
【００３２】
すると、図２Ａに示すように開放部位４が大きく開くので、これまでこの種のフックでフック本体２の内側へ入れにくかったような太いベルトなどが簡単に入れられるようになり、取り出しやすくなる。もちろん、これまでそのような問題のなかったものは当然さらに入れやすく、あるいは取り外しやすくなる。
【図面の簡単な説明】
【００３３】
【図１】本発明に係るフックの一実施例の分解斜視図
【図２】同使用動作状態の側面図
【符号の説明】
【００３４】
１：フック
２：フック本体
２ａ：フック本体の一部位
３：開閉部材
３ａ：開閉部材の自由端の先端部
３ｂ：開閉部材の基端側の突部
４：開放部位
５：フック本体の軸孔
６：開閉部材の軸孔
７：ピン
８：凹部
８ａ：凹部内側部分の壁
８ｂ：凹部外側の部分の壁
９：溝部
１０：ピン
１１：スプリング
【図１】
2008232154.tif 000003
【図２】
2008232154.tif 000004